(57)【要約】【課題】開口部を塞ぐ蓋部材を簡単な作業でガタツキ無く取り付けることができる液体噴射ヘッドを提供する。【解決手段】開口部４０のヘッド移動方向における両側部に被係止部４４を設けると共に、蓋部材４１には被係止部に係止する係止部４３を突設し、係止部４３の一方がその弾性によりヘッド移動方向の一方に付勢した状態で被係止部に係止し、係止部の他方がその弾性によりヘッド移動方向の他方に付勢した状態で被係止部に係止することにより、蓋部材が開口部に止着されるようにした。【選択図】図７
2009073082.tif 000002
【特許請求の範囲】
【請求項１】
ヘッド内部の空間に連通する開口部を塞ぐ蓋部材を備え、
前記開口部のヘッド移動方向における両側部に被係止部を設けると共に、前記蓋部材には前記被係止部に係止する係止部を突設し、
前記係止部の一方がその弾性によりヘッド移動方向の一方に付勢した状態で前記被係止部に係止し、前記係止部の他方がその弾性によりヘッド移動方向の他方に付勢した状態で前記被係止部に係止することにより、前記蓋部材が前記開口部に止着されることを特徴とする液体噴射ヘッド。
【請求項２】
前記蓋部材に嵌合突部を突設すると共に、前記開口部の周縁部には前記嵌合突部が嵌合する被嵌合部を設け、
前記蓋部材を前記開口部に止着すると、前記嵌合突部が前記被嵌合部に嵌合することを特徴とする請求項１に記載の液体噴射ヘッド。
【請求項３】
前記開口部の周縁部に、該開口部を囲繞する枠部を形成したことを特徴とする請求項１又は請求項２に記載の液体噴射ヘッド。
【請求項４】
前記蓋部材に、前記枠部の上部を被覆する庇部を形成したことを特徴とする請求項３に記載の液体噴射ヘッド。
【請求項５】
請求項１から請求項４の何れか一項に記載の液体噴射ヘッドを備え、
該液体噴射ヘッドを往復移動させながら液体噴射動作を制御することを特徴とする液体噴射装置。
【発明の詳細な説明】
【技術分野】
【０００１】
本発明は、インクなどの液体（機能液体）を噴射させるのに好適な液体噴射ヘッド、及び、これを備える液体噴射装置に関し、特に、液体噴射ヘッド内の電子部品に液滴が付着することを防止する構造に関する。
【背景技術】
【０００２】
液体噴射ヘッドの一種であるインクジェット式記録ヘッド（以下、単に記録ヘッドという）には、液体状のインクを封入した液体貯留部材としてのインクカートリッジに、液体導入部の一種であるインク導入針を挿入することで、このインク導入針の先端側に開設された導入穴を通じてインクカートリッジ内のインクを記録ヘッドの内部（インク流路）に導入するように構成されたものがある。
【０００３】
上記記録ヘッドは、ヘッド構成部品であるインク導入針やヘッドケース等を保持するホルダを備えている。このホルダの内部には、インク導入針とヘッドケースの流路とを連通する導入路が形成されている。また、このホルダの側面には開口部が開設されており、この開口部は導入路が形成された内部空間に連通している。この開口部は、ホルダ内に導入路を成型するための金型を挿入するために設けられている。また、このホルダとヘッドケースとの間には、電子部品を実装した回路基板を配置している（例えば、特許文献１参照）。
【０００４】
【特許文献１】特開２００５−２５４５４６号公報
【発明の開示】
【発明が解決しようとする課題】
【０００５】
ところで、上記構成の記録ヘッドでは、インクカートリッジの交換等で液漏れが生じたり、ノズルから噴射された微小なインクがミスト化して雰囲気中に漂ったりする場合がある。このようなインクやミストなどが上記の開口部からホルダの内部空間に浸入すると、回路基板や電子部品に付着してショートする虞がある。
【０００６】
このため、従来の記録ヘッドでは、薄手の板材やシール部材等で開口部を塞ぐようにしていたが、板材を接着剤を用いて手作業で取り付けていたため、接着剤のコストや手間が掛かるという問題があった。
【０００７】
また、蓋材に係止爪等を設け、この係止爪をホルダ側に係止させることにより、蓋部材を嵌め込み式にすることも考えられる。しかしながら、上記記録ヘッドを搭載するインクジェット式記録装置（以下、プリンタ）には、記録ヘッドを主走査方向に往復移動させながら記録動作（インク噴射動作）を行う構成のものがあり、この構成の場合、開口部を塞いでいる蓋部材がホルダに対して遊びがある状態で取り付けられていると、ヘッドの移動時にガタツキ音が生じる問題があった。
【０００８】
本発明は、このような事情に鑑みてなされたものであり、その目的は、開口部を塞ぐ蓋部材を簡単な作業でガタツキ無く取り付けることができる液体噴射ヘッドを提供することにある。
【課題を解決するための手段】
【０００９】
本発明は、上記目的を達成するために提案されたものであり、ヘッド内部の空間に連通する開口部を塞ぐ蓋部材を備え、
前記開口部のヘッド移動方向における両側部に被係止部を設けると共に、前記蓋部材には前記被係止部に係止する係止部を突設し、
前記係止部の一方がその弾性によりヘッド移動方向の一方に付勢した状態で前記被係止部に係止し、前記係止部の他方がその弾性によりヘッド移動方向の他方に付勢した状態で前記被係止部に係止することにより、前記蓋部材が前記開口部に止着されることを特徴とする。
【００１０】
上記構成によれば、開口部のヘッド移動方向における両側部に被係止部を設けると共に、蓋部材には被係止部に係止する係止部を突設し、係止部の一方がその弾性によりヘッド移動方向の一方に付勢した状態で被係止部に係止し、係止部の他方がその弾性によりヘッド移動方向の他方に付勢した状態で被係止部に係止することにより、蓋部材が開口部に止着されるようにしたので、蓋部材を嵌め込むだけの簡単な作業でガタツキ無く取り付けることが可能となる。特に、各係止部がそれぞれの被係止部に対しヘッド移動方向に付勢した状態で係止しているので、液体噴射ヘッドの往復移動時における蓋部材のガタツキ音を防止することができる。
【００１１】
上記構成において、前記蓋部材に嵌合突部を突設すると共に、前記開口部の周縁部には前記嵌合突部が嵌合する被嵌合部を設け、
前記蓋部材を前記開口部に止着すると、前記嵌合突部が前記被嵌合部に嵌合する構成を採用することが望ましい。
【００１２】
この構成によれば、蓋部材を前記開口部に止着すると、前記嵌合突部が前記被嵌合部に嵌合するので、ヘッド移動方向の蓋部材のガタツキ防止に加えて、縦方向（ヘッド移動方向に垂直な方向）に対する蓋部材のガタツキを防止することができる。
【００１３】
上記構成において、前記開口部の周縁部に、該開口部を囲繞する枠部を形成する構成を採用することができる。
【００１４】
この構成によれば、蓋部材とヘッド本体との間の隙間に万一液体が浸入した場合においても、この枠部によって液体を開口部から外れた部分に誘導することによって、開口部内への液体の浸入を遮ることができる。
【００１５】
さらに、上記構成において、前記蓋部材に、前記枠部の上部を被覆する庇部を形成することが望ましい。
【００１６】
また、本発明の液体噴射装置は、上記何れかの構成の液体噴射ヘッドを備え、
該液体噴射ヘッドを往復移動させながら液体噴射動作を制御することを特徴とする。
【００１７】
上記構成によれば、蓋部材のガタツキ音を防止しつつ液体噴射ヘッドを往復移動させながら液体噴射動作を行うことができる。また、液漏れやミストが生じた場合においても、これらの液体やミストが電子部品に付着することを防止することができるので、品質の信頼性を向上することが可能となる。
【発明を実施するための最良の形態】
【００１８】
以下、本発明を実施するための最良の形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下の説明は、本発明の液体噴射ヘッドとして、インクジェット式記録装置（本発明における液体噴射装置の一種。以下、プリンタという。）に往復移動可能に搭載されるインクジェット式記録ヘッド（以下、単に記録ヘッドという）を例に挙げて行う。なお、プリンタの構成については、図８を用いて後述する。
【００１９】
図１は記録ヘッド１の分解斜視図、図２は記録ヘッド１の断面図、図３は記録ヘッド１の要部断面図である。また、図４はホルダ２の平面図、図５はホルダ２の正面図である。
例示した記録ヘッド１は、ホルダ２、ヘッドケース３、振動子ユニット４、及び、流路ユニット５等を備えて概略構成される。
【００２０】
ホルダ２は、例えば合成樹脂によって成型されており、インクカートリッジ（液体貯留部の一種。図８参照。）が装着され、装着されたインクカートリッジ内に貯留されているインクを導入するための部材である。このホルダ２の上面はインクカートリッジが配置される配置面６となっており、当該配置面６には複数のインク導入針７が、インクを濾過するためのフィルタ８を介在させた状態でそれぞれ取り付けられている。このホルダ２の詳細については後述する。
【００２１】
ホルダ２とヘッドケース３との間には、駆動基板９が配置される。この駆動基板９は、圧電振動子１２（図３参照）への駆動信号を中継するための回路基板であり、ドライバＩＣ、プリンタ本体側との接続のためのコネクタ、インク供給用の貫通孔等を備えている。そして、この駆動基板９は、パッキンとして機能するシート部材１１を介してホルダ２に取り付けられている。
【００２２】
ヘッドケース３は、振動子ユニット４を収容するための中空箱体状の部材である。このため、ヘッドケース３には、振動子ユニット４を収容可能な収容空部１４（図３参照）が形成されている。そして、振動子ユニット４は、この収容空部１４内に挿入され、接着によって固定されている。この振動子ユニット４は、圧力発生手段としての圧電振動子群２２と、この圧電振動子群２２が接合される固定板２３と、圧電振動子群２２に駆動基板９からの駆動信号を伝送するためのフレキシブルケーブル（図示せず）等から構成される。
【００２３】
本実施形態の圧電振動子群２２は、櫛歯状に列設された複数の圧電振動子１２を備える。各圧電振動子１２は、固定端部が固定板２３上に接合され、自由端部が固定板２３の先端面よりも外側に突出している。即ち、各圧電振動子１２は、所謂片持ち梁の状態で固定板２３上に取り付けられている。なお、圧力発生手段としては、上記圧電振動子以外にも、静電アクチュエータ、磁歪素子、発熱素子等を用いることができる。
【００２４】
ヘッドケース３の先端面（底面）には、流路ユニット５が接着剤等により固定されている。この流路ユニット５は、振動板１６、流路形成基板１７、及びノズルプレート１８を積層した状態で接着剤等で接合して一体化することにより作製されている。ノズルプレート１８は、例えばステンレス製の薄手の板材から作製された部材であり、このノズルプレート１８には、プリンタ５５のドット形成密度に対応したピッチで微細なノズル開口１９が列状に開設されている。ヘッドカバー２０は、例えば金属製の薄板部材によって作製されており、ノズルプレート１８の外側からその周縁部を包囲するようにヘッドケース３の先端部に取り付けられる。このヘッドカバー２０は、流路ユニット５の側面を保護すると共に、記録紙から発生する静電気によるノイズ等の障害を防止する機能を果たす。
【００２５】
流路形成基板１７は、共通インク室２５となる空部、インク供給口２６となる溝部、及び、圧力室２７となる空部等を各ノズル開口１９に対応させて複数形成した板状の部材である。この流路形成基板１７は、例えば、シリコンウェハーをエッチング処理することによって作製される。上記の圧力室２７は、ノズル開口１９の列設方向（ノズル列方向）に対して直交する方向に細長い室として形成されている。また、共通インク室２５は、ヘッドケース３の高さ方向を貫通して形成された連通路２８（ケース流路）等を介してインク導入針７の内部空間と連通し、インクカートリッジに貯留されたインクが導入される室である。そして、この共通インク室２５に導入されたインクは、インク供給口２６を通じて各圧力室２７に供給される。
【００２６】
振動板１６は、ステンレス鋼等の金属製の支持板上に弾性フィルムをラミネート加工した二重構造の複合板材である。この振動板１６の圧力室２７に対応する部分には、圧電振動子１２の自由端部の先端を接合するための島部２９が形成されており、この部分がダイヤフラム部として機能する。また、振動板１６は、共通インク室２５となる空部の一方の開口面を封止し、コンプライアンス部としても機能する。このコンプライアンス部として機能する部分については弾性フィルムだけにしている。
【００２７】
この記録ヘッド１は、圧電振動子１２を素子長手方向に伸縮させると、島部２９が圧力室２７に近接する方向或いは離隔する方向に移動する。これにより、圧力室２７の容積が変化し、圧力室２７内のインクに圧力変動が生じる。この圧力変動によってノズル開口１９からインク滴（本発明における液体の一種）が噴射される。
【００２８】
次に、上記ホルダ２について説明する。図２，５に示すように、ホルダ２の内部空間には、ヘッドケース３の連通路２８と連通する導入路３１がインクの色毎に対応して形成されている。そして、各導入路３１の上流側開口部は、ホルダの配置面６におけるインクカートリッジ装着領域に横並びで開設されている。各導入路３１は、ヘッドケース３の連通路２８に対応すべく上流側から下流側に向けて収束する状態で斜めに形成されている。そして、各導入路２８の上流側開口部には、フィルタ８が溶着によって取り付けられる。
【００２９】
ホルダ２の配置面６には、インクカートリッジの装着領域を区画する区画壁３２が立設されている。この区画壁３２は、インクカートリッジの装着領域全体を囲繞する囲繞壁３２ａと、その長辺に相当する壁から対向する壁に向けて導入針ユニット３６に干渉しない程度に突出して各装着領域を個別に区画するための境界壁３２ｂとにより構成されている。この区画壁３２によって区画された各装着領域には、上記のように導入路３１の上流側開口部がそれぞれ開設され、その開口周縁部には、インク導入針７の配置位置を規定する配置枠３３が形成されている。この配置枠３３は、導入針ユニット３６の裾部３５の外周形状に沿って形成されており、この配置枠３３の内側に導入針ユニット３６を嵌め込むことで位置決めされるようになっている。そして、各配置枠３３に導入針ユニット３６をそれぞれ取り付けた状態では、図４に示すように、各インク導入針７の先端が左右方向（記録ヘッド１の主走査方向）一直線に等間隔で並ぶようになっている。
【００３０】
上記インク導入針７は、インクカートリッジ内部に挿入され、当該カートリッジ内部に貯留されているインクをヘッド内部に導入するための部材である。各インク導入針７は、中空針状で先端部には導入穴が開設されている。また、インク導入針７の根本側は、下流側開口に向かうほど拡径する裾広がり形状となっている。そして、本実施形態においては、複数のインク導入針７の裾部同士を連結して一体化し、導入針ユニット３６を構成している。このように、複数のインク導入針７を連結して導入針ユニット３６とすることで、インク導入針７を１本ずつホルダ２に取り付ける場合と比較して作業効率を向上することができるようになっている。
【００３１】
ここで、図５に示すように、ホルダ２の側面には、導入路３１が形成された内部空間に連通する開口部４０が開設されている。この開口部４０は、導入路３１の成型に用いる金型を挿脱するために設けられており、本実施形態においてはホルダ２の側壁の一部を反対の側壁側に一段窪ませた後退面２′に開口している。そして、この開口部４０は、以下で説明する蓋部材４１によって塞がれ、この蓋部材４１によって開口部内にインクや埃等が浸入することを防止するようになっている。
【００３２】
図６は、開口部４０を塞ぐための蓋部材４１の構成を説明する図であり、（ａ）は蓋部材４１の上面図、（ｂ）は蓋部材４１の背面図、（ｃ）は蓋部材４１の下面図、（ｄ）は蓋部材４１の正面図である。また、図６（ｅ）は蓋部材４１の右側面図、（ｆ）は蓋部材４１の左側面図である。
【００３３】
この蓋部材４１は、開口部４０よりもひと回り大きな横長な矩形状を呈する被覆板４２を有し、この被覆板４２の裏面（開口部４０を閉塞する側の面）に設けられた係止部４３を、開口部４０の周縁部に設けられた被係止部４４（図５参照）に係止することで、被覆板４２によって開口部４０を閉塞した状態でホルダ２に止着されるように構成されている。
【００３４】
図６（ｂ）に示すように、被覆板４２の裏面における中央部とその両側には、縦方向（記録動作時のヘッド移動方向に対して垂直な方向）に長尺な合計３本の縦リブ４７が所定の間隔を隔てて横並びで形成されている。また、これらの縦リブ４７の下側には、横方向（ヘッド移動方向）に長尺な横リブ４８が各縦リブ４７とそれぞれ交差するように形成されている。蓋部材４１は、これらのリブ４７，４８によって被覆板４２を補強することで、被覆板４２に歪み等が生じないように構成されている。また、被覆板４２の裏面において各縦リブ４７の上部には、後述する開口部４０の枠部５０に対応して庇部４９が形成されている。庇部４９は横方向に長尺な略門型に形成されており、この庇部４９の左右両側から被覆板４２の左右両端部に渡って横板４９′をそれぞれ延出している。そして、蓋部材４１をホルダ２に止着した際に枠部５０の上部に重なって当該枠部５０を囲繞するようになっている。この庇部４９は、蓋部材４１をホルダ２に取り付けた際に、その先端面がホルダ２の後退面２′に当接可能な寸法に設定されている。
【００３５】
上記の係止部４３は、被覆板４２の裏面であって開口部４０の両側に設けられた被係止部４４に対応する位置にそれぞれ設けられている。即ち、被覆板４２の裏面には、その長手方向（ヘッド移動方向）の両側に１つずつ、合計２つの係止部４３が設けられている。図６（ｃ）に示すように、この係止部４３は、被覆板４２から突出した板状の係止片４５と、この係止片４５の先端部に設けられた鉤状の係止爪４６とから構成されている。本実施形態においては、係止爪４６が互いに反対向きとなるように各係止部４３が形成されている。即ち、各係止爪４６は、被覆板４２の中央部に対して外側に向くように設けられている。また、被覆板４２の裏面における各係止部４３の下側には、横長な小板片からなる嵌合突部５２が突設されている。この嵌合突部５２は、ホルダ側に設けられた被嵌合部５１（図５参照）に対応する位置に設けられており、蓋部材４１をホルダ２に止着した際に被嵌合部５１に嵌合するように構成されている。
【００３６】
一方、ホルダ２における開口部４０のヘッド移動方向における両側部には、被係止部４４がそれぞれ設けられている。両被係止部４４は、図４及び図７に示すように、ヘッド移動方向における内側向きに突出したフック乃至斜面を有する断面略三角形突部によりなり、先端を互いに向き合わせた状態に形成されている。そして、この被係止部４４の内側に上記の係止部４３が係止するようになっている。
【００３７】
また、これらの被係止部４４の下側には、後退面２′からホルダ２の側壁までせり出したブロック状のせり出し部５３がそれぞれ設けられており、各せりだし部５３には蓋部材４１の嵌合突部５２が嵌合する被嵌合部５１が形成されている。この被嵌合部５１は、嵌合突部５２がガタツキ無く挿入可能な寸法に設定された矩形の穴となっている。また、開口部４０の周縁部には、該開口部４０を囲繞する枠部５０が形成されている。この枠部５０は、開口部４０の上縁に沿って形成されると共にその左右両端部から下方のせり出し部５３までに渡って形成されている。そして、蓋部材４１をホルダ２の開口部４０に止着した状態では、この枠部５０の上に庇部４９が位置するようになっている。
【００３８】
そして、図７に示すように、蓋部材４１の左右の係止部４３のうちの一方（例えば、右側の係止部４３）がその弾性によりヘッド移動方向の一方（右）に付勢した状態で対応する被係止部４４（右側の被係止部４４）に係止し、係止部４３の他方（左側の係止部４３）がその弾性によりヘッド移動方向の他方（左）に付勢した状態で被係止部４４（左側の被係止部４４）に係止することにより、蓋部材４１が開口部４０を閉塞した状態でホルダ２に止着される。これにより、蓋部材４１を嵌め込むだけの簡単な作業でガタツキ無くホルダ２（即ち、記録ヘッド１本体）に取り付けることが可能となる。特に、各係止部４３がそれぞれの被係止部４４に対しヘッド移動方向に付勢した状態で係止しているので、記録ヘッド１の往復移動時における蓋部材４１のガタツキ音を防止することができる。
【００３９】
また、蓋部材４１をホルダ２に取り付ける際、蓋部材４１の嵌合突部５２が、ホルダ２側の被嵌合部５１に嵌合するので、ヘッド移動方向の蓋部材４１のガタツキ防止に加えて、縦方向（ヘッド移動方向に直行する方向）に対する蓋部材４１のガタツキを防止することができる。
【００４０】
このように、上記蓋部材４１をホルダ２の開口部４０を蓋部材４１により閉塞するようにしたので、ノズルから噴射されてミスト化したインクやインクカートリッジの交換時等で漏出したインクが開口部４０から侵入することを防ぐことができ、駆動基板９などの電子部品にインクが付着して短絡してしまう不具合をなくすようにすることができる。
【００４１】
そして、万一、蓋部材４１とホルダ２との間の隙間にインクが浸入した場合においても、開口部４０の上部に形成された枠部５０によってインクを開口部４０から外れた部分に誘導することによって、開口部４０内へのインクの浸入を遮ることができる。具体的には、図５において矢印で示すように、開口部４０を迂回するように枠部５０を伝ってホルダ２の下方へとインクが導かれるようになっている。
【００４２】
次に、上記構成の記録ヘッド１が搭載されるプリンタ５５について説明する。
図８は、本実施形態におけるプリンタ５５の構成の一例を説明する斜視図である。プリンタ５５は、液体噴射ヘッドの一種である記録ヘッド１が取り付けられると共に、インクカートリッジ５６が着脱可能に取り付けられるキャリッジ５７と、記録ヘッド１の下方に配設されたプラテン６３と、記録ヘッド１が搭載されたキャリッジ５７を記録紙５９（吐出対象物あるいは噴射対象物の一種）の紙幅方向に往復移動させるキャリッジ移動機構５８と、ヘッド移動方向に直交する方向である紙送り方向に記録紙５９を搬送する紙送り機構６２等を備えて概略構成されている。ここで、紙幅方向とは、主走査方向であり、紙送り方向とは、副走査方向である。
【００４３】
キャリッジ５７は、主走査方向に架設されたガイドロッド６０に軸支された状態で取り付けられており、キャリッジ移動機構５８の作動により、ガイドロッド６０に沿って主走査方向に移動するように構成されている。キャリッジ５７の主走査方向の位置は、リニアエンコーダ６１によって検出され、検出信号が位置情報としてプリンタコントローラ（図示せず）に送信される。これにより、プリンタコントローラはこのリニアエンコーダ６１からの位置情報に基づいてキャリッジ５７の走査位置を認識しながら、記録ヘッド１による記録動作（インクの噴射動作）等を制御することができる。
【００４４】
そして、本発明に係る記録ヘッド１を搭載したプリンタ５５では、蓋部材４１のガタツキ音を防止しつつ記録ヘッド１を往復移動させながら記録動作を行うことができる。また、インク漏れやミストが生じた場合においても、これらのインクやミストが電子部品に付着することを防止することができるので、品質の信頼性を向上することが可能となる。また、開口部４０を閉塞することにより、ヘッドの移動時において開口部４０内に空気を巻き込むことを防止することができるので、ヘッド内部に空気を巻き込む事による弊害、例えば、ノズル面側に無用な気流を発生させること等を抑制することができる。
【００４５】
ところで、本発明は、上記した実施形態に限定されるものではなく、特許請求の範囲の記載に基づいて種々の変形が可能である。
【００４６】
例えば、上記実施形態においては、蓋部材４１の係止部４３が、各々対応する被係止部４４の内側に係止して、内側から外側に突っ張る状態で蓋部材４１がホルダ２に止着される構成を例示したが、これには限れらない。例えば、蓋部材４１の係止部４３が、各々対応する被係止部４４の外側に係止して、外側から内側に挟みつける状態で蓋部材４１がホルダ２に止着される構成を採用することも可能である。この構成においても、蓋部材４１をホルダ２に対しガタツキ無く取り付けることが可能となる。また、上記実施形態では、係止部４３を爪状に、被係止部４４をフック状突起としたが、要は係止すればよいので、爪と突起を逆にして被係止部４４を爪状に、係止部４３をフック状とする構成としてもよい。
【００４７】
なお、以上では、液体噴射ヘッドとして、上記記録ヘッド１を例に挙げて説明したが、本発明は、他の液体噴射ヘッドにも適用することができる。例えば、液晶ディスプレー等のカラーフィルタの製造に用いられる色材噴射ヘッド、有機ＥＬ（Electro Luminescence）ディスプレー、ＦＥＤ（面発光ディスプレー）等の電極形成に用いられる電極材噴射ヘッド、バイオチップ（生物化学素子）の製造に用いられる生体有機物噴射ヘッド等にも本発明を適用することができる。
【図面の簡単な説明】
【００４８】
【図１】記録ヘッドの分解斜視図である。
【図２】記録ヘッドの断面図である。
【図３】記録ヘッドの要部断面図である
【図４】ホルダの平面図である。
【図５】ホルダの正面図である。
【図６】（ａ）〜（ｆ）は蓋部材の構成を説明する図である。
【図７】蓋部材がホルダ（開口部）に止着された状態を説明する図である。
【図８】プリンタの構成を説明する斜視図である。
【符号の説明】
【００４９】
１…記録ヘッド，２…ホルダ，４０…開口部，４１…蓋部材，４２…被覆板，４３…係止部，４４…被係止部，４５…係止片，４６…係止爪，４７…縦リブ，４８…横リブ，４９…庇部，５０…枠部，５１…被嵌合部，５２…嵌合突部
【図１】
2009073082.tif 000003
【図２】
2009073082.tif 000004
【図３】
2009073082.tif 000005
【図４】
2009073082.tif 000006
【図５】
2009073082.tif 000007
【図６】
2009073082.tif 000008
【図７】
2009073082.tif 000009
【図８】
2009073082.tif 000010